(57)【要約】【課題】本発明は、無機化合物を含有する機能層への密着性が優れ、かつ放射線により迅速に硬化する有機層を形成できる光硬化性樹脂組成物の提供を目的とする。【解決手段】無機化合物を含有する機能層、および前記機能層を保護する有機層を備えた電子素子積層体の有機層を形成する光硬化性組成物であって、アミドモノマー、多官能（メタ）アクリレート化合物、光重合開始剤を含む、光硬化性組成物。なお、前記アミドモノマーは、環状アミドモノマーが好ましい。【選択図】図１
2018129295.tif 000002
【特許請求の範囲】
【請求項１】
無機化合物を含有する機能層、および前記機能層を保護する有機層を備えた電子素子積層体の有機層を形成するための光硬化性組成物であって、
環状アミドモノマー、多官能（メタ）アクリレート化合物、および光重合開始剤を含み、
前記環状アミドモノマーを光硬化性組成物１００質量％中、２０〜９５質量％含み、
前記多官能（メタ）アクリレート化合物（ただし、アルコキシアルキル（メタ）アクリルアミド基を有するウレタンオリゴマーを除く）が、２官能（メタ）アクリレート化合物および３官能（メタ）アクリレート化合物からなる群より選択される１種以上を含む、光硬化性組成物。
【請求項２】
前記光重合性開始剤が、アシルホスフィン系化合物である、請求項１記載の光硬化性組成物。
【請求項３】
基材、無機化合物を含有する機能層、および前記機能層を保護する有機層を備え、
前記有機層は、請求項１または２記載の光硬化性組成物の硬化物である、ディスプレイ。
【発明の詳細な説明】
【技術分野】
【０００１】
本発明は、電子部品等の保護に使用できる光硬化性組成物に関する。
【背景技術】
【０００２】
近年、スマートフォンやタブレット端末等の携帯端末に代表される電子機器は、その内部に搭載されるプリント配線板やディスプレイ部材を備えたタッチパネル、タッチパネルを構成する液晶ディスプレイ（以下、「ＬＣＤ」という）や有機エレクトロルミネッセンスディスプレイ（以下、「ＯＬＥＤ」ともいう）に代表されるディスプレイ等の電子素子積層体は、様々な方法で薄型化、高密度化を進めている。
例えば、スマートフォンは、限られた空間に多機能を実現するため多くの部材（部品）が使用されている。部品の中でもタッチパネルは、基材上に様々な機能を有する無機層等の機能層と、前記機能層を保護する有機層が積層されているところ、前記有機層は機能層上に積層するため密着性等の適性が必要になる。
例えば、ＯＬＥＤで使用される発光素子は、自己発光型素子であり、軽量化及び薄型化が可能であるためディスプレイに限らず照明装置等に用いられている。このＯＬＥＤは、プラスチックフィルム等の柔軟性を有する基材を使用することでフレキシブルディスプレイを製造することができる。１枚ずつ生産するガラス基材と異なり、プラスチックフィルム基材を使用すると、ロール・トゥ・ロール（Ｒｏｌｌ  ｔｏ  Ｒｏｌｌ）方式でＯＬＥＤを製造することができるためコストダウンが見込める。
【０００３】
ＯＬＥＤの発光素子は、水蒸気で劣化し易いため、基材上に無機化合物を蒸着したバリア層（無機層）を形成して発光素子を保護している。しかし、前記バリア層は、可撓性が無く割れやすいため、バリア層を保護する有機層が必要であった。
【０００４】
そこで特許文献１には、有機層の形成に使用する、カルボキシル基またはホスホン酸基を有する、ポリウレア、ポリウレタン、ポリアミド、ポリイミド、ポリアクリレートおよびポリメタクリレートからなる群より選択される樹脂を含む樹脂組成物が開示されている。
【先行技術文献】
【特許文献】
【０００５】
【特許文献１】特開２００７−３０３８７号公報
【発明の概要】
【発明が解決しようとする課題】
【０００６】
ＯＬＥＤの発光素子は、高温により劣化し易いことから、有機層の形成は、できるだけ低温かつ短時間で硬化することが求められる。しかし、従来の樹脂組成物は、放射線の低温かつ短時間では硬化が完了しない問題があった。また、樹脂組成物は、硬化時の硬化収縮が大きく機能層に対する密着性が低い問題があった。
【０００７】
本発明は、無機化合物を含有する機能層への密着性が優れ、かつ放射線により迅速に硬化する有機層を形成できる光硬化性樹脂組成物の提供を目的とする。
【課題を解決するための手段】
【０００８】
本発明の光硬化性組成物は、アミドモノマー、多官能（メタ）アクリレート化合物、光重合開始剤を含む。
【発明の効果】
【０００９】
本発明により無機化合物を含有する機能層への密着性が優れ、かつ放射線により迅速に硬化する有機層を形成できる光硬化性樹脂組成物を提供できる。
【図面の簡単な説明】
【００１０】
【図１】タッチパネルの構成の一例を示す断面図である。
【図２】ＯＬＥＤの構成の一例を示す断面図である。
【図３】実施例の抵抗値変化率試験に使用する屈曲性試験シートの概略を示す平面図（ａ）および側面図（ｂ）である。
【発明を実施するための形態】
【００１１】
本明細書での用語を説明する。モノマーは、エチレン性不飽和基含有単量体である。機能層とは、無機化合物を含むことで、例えば、バリア性、導電性等の電子素子にとって必要な何らかの機能を有する層をいう。電子素子とは、例えば、電子素子積層体として機能を発揮するための主要な部材であり、例えば、ＯＬＥＤでの発光素子、ＬＣＤでの偏光板、タッチパネルでの透明電極、プリント配線板での回路配線およびグランド配線等を意味する。光硬化性化合物は、例えば、アミドモノマー、多官能（メタ）アクリレート化合物等光重合開始剤により硬化する化合物であり、例えば、（メタ）アクリロイル基やビニル基を有する化合物である。
【００１２】
本発明の光硬化性組成物は、アミドモノマー、多官能（メタ）アクリレート化合物、光重合開始剤を含む。本発明の光硬化性組成物は、無機化合物を含有する機能層、および前記機能層を保護する有機層を備えた電子素子積層体の有機層を形成するために使用することが好ましい。
本発明の光硬化性組成物は、アミドモノマーを含むことで、従来と比較して放射線を低温かつ短時間の照射により硬化完了までの時間短縮が可能になることで、有機層が必要な部材、例えば、電子素子積層体の生産性を向上できる。また、光硬化性組成物は、アミドユニットを含むため無機層に対して密着性が高く、柔軟性が高い有機層を形成できる。そのため光硬化性組成物をＯＬＥＤの機能層（無機バリア層）の保護に使用すると、例えば、屈曲後に水蒸気バリア性の低下を抑制できる効果が得られる。また、光硬化性組成物をタッチバネルの機能層（透明電極層）の保護に使用すると、例えば、屈曲後に抵抗値が上昇し難い効果が得られる。
【００１３】
本発明の光硬化性組成物は、無機化合物を含有する機能層、および前記機能層を保護する有機層を備えた電子素子積層体の有機層を形成する光硬化性組成物であって、
アミドモノマー、多官能（メタ）アクリレート化合物、光重合開始剤を含む。
本発明の光硬化性組成物は、例えばディスプレイを構成する様々な部材に使用され無機層を保護する保護膜として使用することが好ましい。かかる保護膜は、低温超短時間で硬化するため生産性が高く、無機層を有する基材との密着性に優れている。
【００１４】
＜アミドモノマー＞
アミドモノマーは、アミドユニット（アミド基またはアミド結合ともいう）を含有する。光硬化性組成物は、アミドモノマーのアミノ基の存在により迅速に硬化する。また、アミドユニットは、無機層との密着性向上に寄与する。アミドモノマーは、環状と鎖状に分類できる。
【００１５】
環状アミドモノマーは、例えば、カルボキシル基含有化合物とアミノ基が脱水縮合し、環を成したモノマーが好ましい。環状アミドモノマーは、例えばアクリロイルモルフォリン、Ｎービニルピロリドン、Ｎ−ビニル−ε―カプロラクタム等が挙げられる。
鎖状アミドモノマーは、炭素原子が一列に並んだ鎖状の炭化水素基とアミドユニットと
を有するモノマーである。
鎖状アミドモノマーは、例えばアクリルアミド、メタクリルアミド、ジメチルアクリルアミド、イソプロピルアクリルアミド、ジエチルアクリルアミド、ジメチルアミノプロピルアクリルアミド、ジメチルアミノプロピルアクリルアミド塩化メチル四級塩、ヒドロキシエチルアクリルアミド等が挙げられる。
これらの中でも、硬化速度および密着性の面から環状アミドモノマーが好ましく、Ｎ−ビニル−ε―カプロラクタム、アクリロイルモルフォリンがより好ましい。さらに、環状アミド構造の中に電子吸引基、電子吸引性原子を有すると硬化速度および密着性がより向上する。電子吸引基は、アミドユニット以外の基であり、例えば、カルボニル基、シアノ基、ニトロ基、エステル基である。電子吸引性原子は、例えば、ハロゲン、酸素である。
【００１６】
アミドモノマーは、単独または２種類上を使用できる。
【００１７】
アミドモノマーは、光硬化性化合物１００質量％中、２０質量％〜９５質量％が好ましく、３０〜９０質量％がより好ましく、５０質量％〜９０質量％が更に好ましく、６０〜９０質量％が最も好ましい。
【００１８】
＜多官能（メタ）アクリレート化合物＞
多官能（メタ）アクリレート化合物は、（メタ）アクリロイル基を２個以上有する化合物である。多官能（メタ）アクリレート化合物は、（メタ）アクリロイル基を２〜６個有することが好ましく、（メタ）アクリロイル基を２〜３個有することがより好ましい。
【００１９】
２官能（メタ）アクリレート化合物（（メタ）アクリロイル基を２個有する化合物）は、例えばエチレングリコールジ（メタ）アクリレート、ジエチレングリコールジ（メタ）アクリレートポリエチレングリコールジ（メタ）アクリレート、１，６−ヘキサンジオールジ（メタ）アクリレート、エトキシ化1，6−ヘキサンジオールジ（メタ）アクリレート、ネオペンチルグリコールジアクリレート、ポリプロピレングリコールジアクリレート、１，４−ブタンジオールジ（メタ）アクリレート、１，９−ノナンジオールジアクリレート、テトラエチレングリコールジアクリレート、２−ｎ−ブチル−２−エチル−１，３−プロパンジオールジアクリレート、ヒドロキシピバリン酸ネオペンチルグリコールジアクリレート、１，３−ブチレングリコールジアクリレート、エトキシ化トリプロピレングリコールジアクリレート、ネオペンチルグリコール変性トリメチル−ルプロパンジアクリレート、ステアリン酸変性ペンタエリスリトールジアクリレート、トリプロピレングリコールジ（メタ）アクリレート、ビスフェノールＡジアクリレート、ビスフェノールＦジアクリレート、シクロヘキサンジメタノール(メタ)アクリレート、ジメチロールジシクロペンタンジアクリレート、イソシアヌル酸ジアクリレート、エチレングリコールジ(メタ)アクリレート、ジエチレングリコールジ(メタ)アクリレート、ポリエチレングリコールジ(メ
タ)アクリレートが挙げられる。
３官能（メタ）アクリレート化合物は、（（メタ）アクリロイル基を２個有する化合物）は、例えばトリメチロールプロパントリアクリレート、ペンタエリスリトールトリアクリレート、テトラメチロールプロパントリアクリレート、カプロラクトン変性トリメチロールプロパントリアクリレート、トリ(２−ヒドロキシエチルイソシアヌレート)トリアクリレートが挙げられる。
４官能以上の（メタ）アクリレート化合物は、例えばジトリメチロールプロパンテトラアクリレート、ジペンタエリスリトールヘキサアクリレート、ジペンタエリスリトールペンタアクリレートが挙げられる。これら多官能（メタ）アクリレートは１種または必要に応じて２種以上用いても良い。
【００２０】
多官能（メタ）アクリレート化合物は、単独または２種類以上を使用できる。
【００２１】
多官能（メタ）アクリレート化合物は、これらの中でも硬化性と密着性を両立し易い面で２官能（メタ）アクリレート化合物が好ましく、屈曲性がより向上する面で、アルキレンオキシ基含有２官能（メタ）アクリレート化合物がより好ましい。
【００２２】
アルキレンオキシ基は、例えば、エチレンオキシ基、プロピレンオキシ基等が挙げられる。これらの中でもプロピレンオキシ基がより好ましい。
また、アルキレンオキシ基は、単独または複数有しても良い。
アルキレンオキシ基の繰り返し数は、２〜５０が好ましく、２〜３０がより好ましく、２〜１５がさらに好ましい。
【００２３】
多官能（メタ）アクリレート化合物は、光硬化性化合物１００質量％中、５〜８０質量％が好ましく、１０〜４０質量％がより好ましい。
【００２４】
＜光重合開始剤＞
本発明において放射線による硬化には光重合開始剤を使用する。光重合開始剤は、光ラジカル重合開始剤が好ましい。
光ラジカル重合開始剤は、分子内開裂型または水素引き抜き型が好ましい。
分子内開裂型の光ラジカル重合開始剤は、活性エネルギー線を照射することにより当該化合物が開裂してラジカルを発生するタイプのラジカル開始剤である。分子内開裂型の光ラジカル重合開始剤は、例えば、ベンジルケタール系光ラジカル重合開始剤、α−ヒドロキシアセトフェノン系光ラジカル重合開始剤、ベンゾイン系光ラジカル重合開始剤、アミノアセトフェノン系光開始剤、オキシムケトン系光ラジカル重合開始剤、アシルホスフィンオキシド系光ラジカル重合開始剤、チタノセン系光ラジカル重合開始剤等が好ましい。
【００２５】
ベンジルケタール系光ラジカル重合開始剤は、例えば２，２−ジメトキシ−１，２−ジフェニルエタン−１−オン（ベンジルジメチルケタ−ル／２，２−ジメトキシ−２−フェニルアセトフェノン）等が挙げられる。
α−ヒドロキシアセトフェノン系光ラジカル重合開始剤は、例えば２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、１−（４−ドデシルベンゾイル）−１−ヒドロキシ−１−メチルエタン、１−（４−イソプロピルベンゾイル）−１−ヒドロキシ−１−メチルエタン、１−ベンゾイル−１−ヒドロキシ−１−メチルエタン、１−［４−（２−ヒドロキシエトキシ）−ベンゾイル］−１−ヒドロキシ−１−メチルエタン、１−［４−（アクリロイルオキシエトキシ）−ベンゾイル］−１−ヒドロキシ−１−メチルエタン、フェニル−１−ヒドロキシ−シクロヘキシルケトン、２−ヒドロキシ−２−メチル−［４−（１−メチルビニル）フェニル］プロパノールオリゴマー等が挙げられる。
ベンゾイン系光ラジカル重合開始剤は、例えばベンゾイン、ベンゾインイソブチルエーテル、ベンゾインメチルエーテル、ベンゾインエチルエーテル及びベンゾインイソプロピルエーテル等が挙げられる。
アミノアセトフェノン系光ラジカル重合開始剤は、例えば２−メチル−１［４−（メチルチオ）フェニル］−２−モルフォリノプロパン−１−オン、２−ベンジル−２−ジメチルアミノ−１−（４−モルフォリノフェニル）−ブタノン−１等が挙げられる。
オキシムケトン系光ラジカル重合開始剤は、例えば１．２−オクタンジオン，１−［４−（フェニルチオ）−２−（Ｏ−ベンゾイルオキシム）］、エタノン，１−［９−エチル−６−（２−メチルベンゾイル）−９Ｈ−カルバゾール−３−イル］−，１−（０−アセチルオキシム）等が挙げられる。
アシルホスフィンオキシド系光ラジカル重合開始剤は、例えばビス（２，４，６−トリメチルベンゾイル）−フェニルフォスフィンオキサイド、２，４，６−トリメチルベンゾ
イル−ジフェニルフォスフィンオキサイド等が挙げられる。
チタノセン系光ラジカル重合開始剤は、例えばビス（シクロペンタジエニル）−ジ−フェニル−チタニウム、ビス（シクロペンタジエニル）−ジ−クロロ−チタニウム、ビス（シクロペンタジエニル）−ビス（２，３，４，５，６ペンタフルオロフェニル）チタニウム、ビス（シクロペンタジエニル）−ビス（２，６−ジフルオロ−３−（ピロール−１−イル）フェニル）チタニウム等が挙げられる。
【００２６】
水素引き抜き型の光ラジカル重合開始剤としては、ベンゾフェノン系光ラジカル開始剤、チオキサントン系光ラジカル重合開始剤、アントラキノン系光開始剤等が好ましい。
ベンゾフェノン系光ラジカル開始剤は、例えばベンゾフェノン、４−メチルベンゾフェノン、３−ベンゾイルビフェニル、４−（４−メチルフェニルチオ）ベンゾフェノン、メチル２−ベンゾイルベンゾエート、４−フェニルベンゾフェノン、４，４’−ビス（ジメトキシ）ベンゾフェノン、４，４’−ビス（ジメチルアミノ）ベンゾフェノン、４，４’−ビス（ジエチルアミノ）ベンゾフェノン、２−ベンゾイル安息香酸メチルエステル、２−メチルベンゾフェノン、３−メチルベンゾフェノン、３，３’−ジメチル−４−メトキシベンゾフェノン、２，４，６−トリメチルベンゾフェノン等のベンゾフェノン誘導体、１−［４−（４−ベンゾイルフェニルスルファニル）フェニル］−２−メチル−２−（４−メチルフェニルスルホニル）−プロパン−１−オン等が挙げられる。
チオキサントン系光ラジカル重合開始剤は、例えばチオキサントン、キサントン、２−クロロチオキサントン、４−クロロチオキサントン、２−イソプロピルチオキサントン、４−イソプロピルチオキサントン、２，４−ジメチルチオキサントン、２，４−ジエチルチオキサントン、１−クロロ−４−プロポキシチオキサントン、２，４−ジエチルチオキサンテン−９−オン等のチオキサントン誘導体等が挙げられる。
アントラキノン系光開始剤は、例えばアントラキノン、２−エチルアントラキノン、２−ヒドロキシアントラキノン、２−アミノアントラキノン等が挙げられる。
【００２７】
光重合開始剤は、これらの中でもアシルホスフィンオキシド系光ラジカル重合開始剤が好ましく、２，４，６−トリメチルベンゾイル−ジフェニルフォスフィンオキサイド、ビス(２，４，６−トリメチルベンゾイル)−フェニルホスフィンオキサイドがより好ましい。
【００２８】
光重合開始剤は、単独または２種類以上を併用できる。
【００２９】
光重合開始剤は、光硬化性化合物１００質量部に対して、１〜２０質量部を含むことが好ましい。
【００３０】
＜増感剤＞
本発明では、光重合開始剤に増感剤を併用できる。増感剤は、アミンが好ましい。
アミンは、例えばトリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミン，４’−ビス（ジエチルアミノ）ベンゾフェノン等が挙げられる。
【００３１】
増感剤は、単独または２種類以上を併用できる。
【００３２】
増感剤は、光硬化性化合物１００質量部に対して、０．１〜５質量部を含むことが好ましい。
【００３３】
＜その他光硬化性化合物＞
本発明の光硬化性組成物は、アミドモノマーおよび多官能（メタ）アクリレート化合物
以外のその他光硬化性化合物を含むことができる。その他光硬化性化合物は、アルキル（メタ）アクリレート、カルボキシル基含有（メタ）アクリレート、水酸基含有（メタ）アクリレート、含フッ素（メタ）アクリレート等が挙げられる。
アルキル（メタ）アクリレートは、例えばメチル（メタ）アクリレート、エチル（メタ）アクリレート、プロピル（メタ）アクリレート、ブチル（メタ）アクリレート等が挙げられる。
カルボキシル基含有（メタ）アクリレートは、例えば（メタ）アクリル酸、メチル（メタ）アクリレート、エチル（メタ）アクリレート、ブチル（メタ）アクリレート、２−ヒドロキシエチル（メタ）アクリレート、Ｎ−メチロール（メタ）アクリルアミド、２−ヒドロキシブチル（メタ）アクリレート、２−ヒドロキシブチル（メタ）アクリレート、ジメチルアクリルアミド、ジメチルアミノエチル（メタ）アクリレート、グリシジル（メタ）アクリレート、グリシジル（メタ）アクリレート、３,４−エポキシブチル（メタ）ア
クリレート、２−メチル−３,４−エポキシ−シクロヘキシル（メタ）アクリレート等が
挙げられる。
水酸基含有（メタ）アクリレートは、例えば２−ヒドロキシエチル（メタ）アクリレート、２−ヒドロキシブチル（メタ）アクリレート、２−ヒドロキシブチル（メタ）アクリレート等が挙げられる。
含フッ素（メタ）アクリレートは、例えば２,２,２−トリフルオロエチルメタクリレート、２−（パーフルオロブチル）エチルメタクリレート、２−（パーフルオロヘキシル）エチルメタクリレート、２−（パーフルオロブチル）エチルメタクリレート等が挙げられる。
【００３４】
ウレタンアクリレートオリゴマーは、（メタ）アクリロイル基を２個以上有する重量平均分子量８００〜２００００の化合物である。
【００３５】
ウレタンアクリレートオリゴマーの市販品は、例えば、ダイセルＵＣＢ社製「Ｅｂｅｃｒｙｌ」シリーズ、サートマー社製「ＣＮシリーズ」、ＢＡＳＦ社製「Laromerシリーズ
」、コグニス社製「フォトマーシリーズ」、根上工業社製「アートレジンシリーズ」、日本合成社製「紫光シリーズ」、日本化薬社製「カヤラッドシリーズ」等が挙げられる。
【００３６】
その他光硬化性化合物は、単独または２種類以上を併用できる。
【００３７】
その他光硬化性化合物は、光硬化性化合物１００質量％中、１０〜９５質量％を含むことが好ましく、２０〜９０質量％がより好ましい。
【００３８】
＜樹脂＞
本発明の光硬化性組成物は、樹脂を含むことができる。光硬化性組成物は、樹脂を含むことで有機層の硬さ、柔軟性等を適宜調整できる。
樹脂は、例えば、アクリル樹脂、エポキシ樹脂、ポリウレタン樹脂、ポリウレタンウレア樹脂、（変性）スチレン無水マレイン酸共重合体、（変性）塩化ビニル酢酸ビニル共重合体、（変性）塩化ビニル酢酸ビニル無水マレイン酸共重合体、ケトンアルデヒド樹脂、ポリエステル樹脂、ポリプロピレン樹脂、ポリ乳酸樹脂、セルロースアセテート樹脂、セルロースアセテートブチレート樹脂、エステル化セルロース樹脂、ブチラール樹脂等が挙げられる。
【００３９】
樹脂は、単独または２種類以上を併用できる。
【００４０】
樹脂は、光硬化性組成物の不揮発分１００質量％中に１〜２０質量％を含むことが好ましく、５〜１５質量％がより好ましい。
【００４１】
＜溶剤＞
本発明の光硬化性組成物は、溶剤を配合できる。溶剤を配合することで、光硬化性組成物を印刷（塗工）に適した粘度に調整し易い。溶剤は、使用する樹脂の溶解性や印刷ないし塗工方法等に応じて、適宜選択することができる。
【００４２】
溶剤は、例えば、エステル系溶剤、ケトン系溶剤、グリコールエーテル系溶剤、脂肪族炭化水素系溶剤、芳香族炭化水素系溶剤、アルコール系溶剤、エーテル系溶剤、水等が挙げられる。
【００４３】
溶剤は、単独または２種類以上を併用できる。
【００４４】
溶剤は、光硬化性組成物１００質量％中に０〜５０質量％を含むことが好ましい。
【００４５】
＜その他添加剤＞
本発明の光硬化性組成物は、必要に応じてその他添加剤を含むことができる。その他添加剤は、例えば、可塑剤、表面調整剤、紫外線防止剤、光安定化剤、酸化防止剤、重合禁止が挙げられる。
【００４６】
光硬化性組成物は、有機層形成のために使用するところ、課題を解決できる範囲内であれば、無機化合物を含むことができる。
【００４７】
本発明の光硬化性組成物は、アミドモノマー、多官能（メタ）アクリレート化合物、光重合開始剤を配合して攪拌機で混合することで製造できる。攪拌機は、ディスパー等の公知の撹拌装置を使用できる。
【００４８】
本発明の光硬化性組成物は、有機層形成の例として、タッチパネルディスプレイ内の透明電極層の保護層、および有機ＥＬデバイスの無機バリア層の保護層に使用することが好ましい。
【００４９】
以下、光硬化性組成物を使用する用途の一つとして、電子素子積層体を説明する。
【００５０】
＜電子素子積層体＞
電子素子積層体は、無機化合物を含有する機能層、および前記機能層を保護する有機層を備えている。前記機能層は、電子素子を構成する層、または電子素子に対し何らかの機能を有する層である。電子素子は、例えば、透明導電層、液晶素子、ＯＬＥＤの発光素子が挙げられる。このように電子素子は、ディスプレイ関連に限定されないことはいうまでもない。
【００５１】
電子素子積層体は、例えばリジッドプリント配線板、フレキシブルプリント配線板、半導体素子、タッチパネル、スマートフォン、タブレット端末、ノート型パーソナルコンピュータ、ＬＣＤ、ＯＬＥＤ、スマートウォッチ、ゲーム端末等が挙げられる。
【００５２】
＜機能層＞
機能層は、無機化合物を含有し、何らかの機能を有する層である。
前記機能層は、例えば、透明電極層、無機バリア層、カーボン分散導電層、銀ナノワイヤー層等が挙げられる。
機能層に含まれる無機化合物として、透明電極層は、例えば、ＩＴＯ（酸化インジウムスズ）を含有する。また、無機バリア層は、例えば窒化珪素、酸化珪素、酸化アルミニウムを含有する。カーボン分散導電層は、例えば、カーボンブラック、グラファイト、カーボンナノチューブを含有する。銀ナノワイヤー層は、例えば、銀化合物を含有する。
【００５３】
前記機能層は、基材の全面に形成される必要はなく、部分的に形成されていても良い。なお、前記無機層は、全てが無機化合物である必要はなく、無機化合物および有機化合物を含むことができる。前記機能層は、透明電極層、無機バリア層が好ましい。
【００５４】
＜透明電極層＞
本発明の実施態様の一例として、タッチパネルディスプレイ内に搭載される透明電極層を保護する態様を図１に示す。なお、透明電極層を含む態様が図１に限定されないことはいうまでもない。
図１によると、基材１１、ＩＭ層１２、透明電極層（機能層）１３、保護膜（有機層）１４、透明電極層（機能層）１３、保護層（有機層）１４、粘着層１５、基材１１を順次積層した態様が挙げられる。
基材１１は、例えばポリエチレンテレフタレート（ＰＥＴ）、ポリカーボネート（ＰＣ）、シクロオレフィンポリマー（ＣＯＰ）、およびガラスが挙げられる。
【００５５】
ＩＭ（インデックスマッチング）層１２は、透明電極パターンの骨見え防止（不可視化）のための光学調整層である。公知のＩＭ層が使用できる。
ＩＭ層１２の厚さは、２〜１０μｍ程度である。
【００５６】
透明電極層１３は、可視光透過性と電気導電性を兼ね備えた薄膜層であり、液晶素子、有機ＥＬ素子、タッチパネル、太陽電池等の透明電極として広く用いられている。透明電極層１３の素材は、金、銀および銅等の導電性金属、ならびにこれらの合金、ならびに、酸化インジウムスズ（ＩＴＯ）、酸化亜鉛（ＺｎＯ）、カーボンナノチューブ（ＣＮＴ）、フラーレン、グラフェン等の導電性素材も好ましい。なお、ＣＮＴ等の炭素材料を使用する場合、透明導電層は、バインダー樹脂を含むことが好ましい。
【００５７】
透明電極層１３の厚みは、通常５ｎｍ〜１０００００ｎｍ程度である。例えばＩＴＯの場合、５〜５００ｎｍ程度である。透明電極層は、一般的に、蒸着またはスパッタリングで形成する。
【００５８】
保護層１４は、光硬化性組成物から形成した硬化被膜（有機層）である。保護層１４の厚みは、通常３〜３０μｍが好ましく、４〜１０μｍがより好ましい。保護層の厚みが３μｍ以上になると、透明電極層の保護機能が向上し屈曲性がより向上する。また保護層１４の厚みが３０μｍ以下になると、生産性の向上やコストダウンの他に透明性がより向上する。また前記保護層上に、さらに光硬化性組成物から形成される第二の保護層を備えることも好ましい。これにより屈曲性がさらに向上する。
【００５９】
透明電極層１３を有する基材上に保護層１４を形成する方法は、公知の印刷ないし塗工法を使用できる。印刷方法は、例えばスクリーン印刷、フレキソ印刷、オフセット印刷、グラビア印刷およびグラビアオフセット印刷等が挙げられる。また塗工方法は、例えばディップコート法、エアーナイフコート法、カーテンコート法、ローラーコート法、ワイヤーバーコート法、グラビアコート法、スライドコート法が挙げられる。また、印刷または塗布後、乾燥・硬化工程を行なうことが好ましい。乾燥・硬化工程は、ＵＶランプ（例えば高圧水銀ランプ）、熱風オーブン、赤外線オーブン、およびマイクロウエーブオーブン、ならびにこれらを複合した複合オーブン等公知の乾燥装置が挙げられる。熱風オーブンを使用した熱乾燥・硬化の条件は５０℃〜１３０℃で１分程度が好ましい。光照射量は、１０〜３０００ｍＪ／ｍ2程度である。
【００６０】
本発明で光硬化組成物を硬化させるための放射線は、紫外線を発生する光源を利用することが好ましい。この光源は、例えば高圧水銀灯、定圧水銀灯、メタルハライドランプ、
紫外線レーザー、ＬＥＤランプ等が挙げられる。これらの中で、有機ＥL層への影響が少
ない中心波長が３６５ｎｍ以上のＬＥＤランプが好ましく、中心波長３８５ｎｍ以上のＬＥＤランプが好ましい。
【００６１】
粘着層１５は、例えばアクリル粘着剤、ウレタン粘着剤、ポリエステル粘着剤、シリコーン粘着剤、ゴム系粘着剤が挙げられる。粘着層１５の厚みは、１０〜３００μｍ程度である。
【００６２】
＜無機バリア層＞
本発明の実施態様の１例として、ＯＬＥＤ内に搭載される無機バリア層を保護する態様を図２に示す。なお、無機バリア層を含む態様が図２に限定されないことはいうまでもない。
【００６３】
図２によると、基板２１、電極２２、有機化合物層２３、電極２２’を順次積層した有機ＥＬ素子２４と、フィルム基材２６、無機バリア層２７、有機層２８、無機バリア層２７を順次積層したバリアフィルム２９を接着層２５とで積層した構成図である。
【００６４】
有機ＥＬ素子２４を構成する各要素の詳細を次に説明する。
【００６５】
＜有機ＥＬ素子＞
基板２１は、有機ＥＬ素子に用いられる公知の基板が広く採用できる。基板２１は、樹脂フィルムであってもよいし、ガスバリアフィルムであってもよい。特開２００４−１３６４６６号公報、特開２００４−１４８５６６号公報、特開２００５−２４６７１６号公報、特開２００５−２６２５２９号公報等に記載のガスバリアフィルムも好ましく用いることができる。
【００６６】
基板２１の厚みは、通常３０μｍ〜７００μｍ程度であり、４０μｍ〜２００μｍが好ましく、５０μｍ〜１５０μｍがより好ましい。基板２１は、ヘイズ３％以下が好ましく、２％以下が好ましく、１％以下がより好ましい。また基板２１は、全光線透過率７０％以上が好ましく、８０％以上がより好ましく、９０％以上がさらに好ましい。ヘイズおよび全光線透過率を満たすとＯＬＥＤの視認性が向上する。
【００６７】
有機ＥＬ素子２４は、基板と、基板上に設けられた陰極２２'及び陽極２２からなる両
電極を有し、両電極間には発光層を含む有機化合物層２３を有する。発光素子の性質上、陽極２２および陰極２２'のうち少なくとも一方の電極は透明である。
陽極２２は、通常、有機化合物層に正孔を供給する電極としての機能を有していればよく、その形状、構造、大きさ等については特に制限はなく、発光素子の用途、目的に応じて、公知の電極材料の中から適宜選択することができる。陽極は、通常透明陽極として設けられる。透明陽極は、沢田豊監修「透明電極膜の新展開」シーエムシー刊（１９９９）に詳述がある。基板として耐熱性の低いプラスチック基材を用いる場合は、ＩＴＯまたはＩＺＯを使用し、１５０℃以下の低温で成膜した透明陽極が好ましい。
【００６８】
陰極２２'は、通常、有機化合物層に電子を注入する電極としての機能を有していれば
よく、その形状、構造、大きさ等については特に制限はなく、発光素子の用途、目的に応じて、公知の電極材料の中から適宜選択することができる。陰極を構成する材料は、例えば、金属、合金、ならびに金属酸化物、ならびに電気伝導性化合物、ならびにこれらの混合物などが挙げられる。前記材料は、例えば、２属金属（たとえばＭｇ、Ｃａ等）、金、銀、鉛、アルミニウム、リチウム−アルミニウム合金、マグネシウム−銀合金、インジウム、イッテルビウム等の希土類金属が挙げられる。これらは、単独または２種類以上を使用できる。陰極を構成する材料として、アルミニウムを主体とする材料が好ましい。
アルミニウムを主体とする材料とは、アルミニウム単独、アルミニウムと０．０１〜１０質量％のアルカリ金属または２属金属との合金（例えば、リチウム−アルミニウム合金、マグネシウム−アルミニウム合金など）をいう。なお、陰極の材料については、特開平２−１５５９５号公報、特開平５−１２１１７２号公報に詳述されている。また、陰極と前記有機化合物層との間に、アルカリ金属または２属金属のフッ化物、酸化物等による誘電体層を０．１〜５ｎｍの厚みで挿入してもよい。この誘電体層は、一種の電子注入層と見ることもできる。
【００６９】
陰極の厚みは、通常１０ｎｍ〜５μｍ程度であり、５０ｎｍ〜１μｍが好ましい。
また、陰極は、透明であってもよいし、不透明であってもよい。なお、透明な陰極は、陰極の材料を１〜１０ｎｍの厚さに薄く成膜し、さらにＩＴＯやＩＺＯ等の透明な導電性材料を積層することにより形成することができる。
【００７０】
前記有機化合物層の積層の態様としては、陽極側から、正孔輸送層、発光層、電子輸送層、陰極の順に積層されている態様が好ましい。さらに、正孔輸送層と発光層との間、または、発光層と電子輸送層との間には、電荷ブロック層等を有していてもよい。陽極と正孔輸送層との間に、正孔注入層を有してもよく、陰極と電子輸送層との間には、電子注入層を有してもよい。また、発光層としては一層だけでもよく、また、第一発光層、第二発光層、第三発光層等に発光層を分割してもよい。さらに、各層は複数の二次層に分かれていてもよい。
【００７１】
有機ＥＬ素子は、発光層を含む少なくとも一層の有機化合物層を有しており、有機発光層以外の他の有機化合物層としては、前述したごとく、正孔輸送層、電子輸送層、電荷ブロック層、正孔注入層、電子注入層等の各層が挙げられる。
【００７２】
有機発光層は、電界印加時に、陽極、正孔注入層、または正孔輸送層から正孔を受け取り、陰極、電子注入層、または電子輸送層から電子を受け取り、正孔と電子との再結合の場を提供して発光させる機能を有する層である。発光層は、発光材料のみで構成されていてもよく、ホスト材料と発光材料の混合層とした構成でもよい。発光材料は蛍光発光材料でも燐光発光材料であってもよく、ドーパントは１種であっても２種以上であってもよい。ホスト材料は電荷輸送材料であることが好ましい。ホスト材料は１種であっても２種以上であってもよく、例えば、電子輸送性のホスト材料とホール輸送性のホスト材料とを混合した構成が挙げられる。さらに、発光層中に電荷輸送性を有さず、発光しない材料を含んでいてもよい。また、発光層は１層であっても２層以上であってもよく、それぞれの層が異なる発光色で発光してもよい。
【００７３】
前記蛍光発光材料は、例えば、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の金属錯体やピロメテン誘導体の金属錯体に代表される各種金属錯体等、ポリチオフェン、ポリフェニレン、ポリフェニレンビニレン等のポリマー化合物、有機シラン誘導体などの化合物等が挙げられる。
【００７４】
前記燐光発光材料は、例えば、遷移金属原子またはランタノイド原子を含む錯体が挙げられる。
前記遷移金属原子は、例えば、ルテニウム、ロジウム、パラジウム、タングステン、レ
ニウム、オスミウム、イリジウム、および白金が挙げられる。これらの中でもレニウム、イリジウム、および白金が好ましい。
前記ランタノイド原子は、ランタン、セリウム、プラセオジム、ネオジム、サマリウム、ユーロピウム、ガドリニウム、テルビウム、ジスプロシウム、ホルミウム、エルビウム、ツリウム、イッテルビウム、ルテシウムが挙げられる。これらのランタノイド原子の中でも、ネオジム、ユーロピウム、およびガドリニウムが好ましい。
【００７５】
錯体の配位子としては、例えば、G.Wilkinson等著，Comprehensive Coordination Chemistry, Pergamon Press社１９８７年発行、H.Yersin著，「Photochemistry and Photophysics of Coordination Compounds」 Springer−Verlag社１９８７年発行、山本明夫著「
有機金属化学−基礎と応用−」裳華房社１９８２年発行等に記載の配位子などが挙げられる。
【００７６】
また、発光層に含有されるホスト材料としては、例えば、カルバゾール骨格を有するもの、ジアリールアミン骨格を有するもの、ピリジン骨格を有するもの、ピラジン骨格を有するもの、トリアジン骨格を有するものおよびアリールシラン骨格を有するものや、後述の正孔注入層、正孔輸送層、電子注入層、電子輸送層の項で例示されている材料が挙げられる。
【００７７】
正孔注入層、正孔輸送層は、陽極または陽極側から正孔を受け取り陰極側に輸送する機能を有する層である。正孔注入層、正孔輸送層は、具体的には、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、カーボン、等を含有する層であることが好ましい。
【００７８】
電子注入層、電子輸送層は、陰極または陰極側から電子を受け取り陽極側に輸送する機能を有する層である。電子注入層、電子輸送層は、具体的には、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、等を含有する層であることが好ましい。
【００７９】
正孔ブロック層は、陽極側から発光層に輸送された正孔が、陰極側に通りぬけることを防止する機能を有する層である。本発明において、発光層と陰極側で隣接する有機化合物層として、正孔ブロック層を設けることができる。また、電子輸送層・電子注入層が正孔ブロック層の機能を兼ねていてもよい。
正孔ブロック層を構成する有機化合物の例としては、ＢＡｌｑ等のアルミニウム錯体、トリアゾール誘導体、ＢＣＰ等のフェナントロリン誘導体、等が挙げられる。
また、陰極側から発光層に輸送された電子が陽極側に通りぬけることを防止する機能を有する層を、発光層と陽極側で隣接する位置に設けることもできる。正孔輸送層・正孔注入層がこの機能を兼ねていてもよい。
【００８０】
バリアフィルムを構成する各要素の詳細を次に説明する。
【００８１】
＜バリアフィルム＞
バリアフィルム２９は、フィルム基材２６上に無機バリア層２７、有機層２８、無機バリア層２７を順次積層した構成である。
【００８２】
バリアフィルムに用いられるフィルム基材２６は、セルロールエステルでは、例えば、ジアセチルセルロース、トリアセチルセルロース（ＴＡＣ）、プロピオニルセルロース、ブチリルセルロース、アセチルプロピオニルセルロース、ニトロセルロース等；
ポリエステルでは、例えば、ポリエチレンテレフタレート（ＰＥＴ）、ポリエチレンナフタレート（ＰＥＮ）、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート等；
ポリオレフィンでは、例えば、ポリエチレン、ポリプロピレン（ＰＰ）、ポリメチルペンテン、ポリテトラフルオロエチレン、シクロオレフィンポリマー（ＣＯＰ）等；
ビニル化合物では、例えば、ポリビニルアルコール、ポリ酢酸ビニル、ポリ塩化ビニル、ポリフッ化ビニル等；
アクリル樹脂では、例えば、ポリメチルメタクリレート（ＰＭＭＡ）、ポリアクリル酸エステル等；
その他は、例えば、ポリスチレン（ＰＳ）、ポリカーボネート（ＰＣ）、ポリアミド、ポリイミド（ＰＩ）、ポリウレタン、ポリスルホン、ポリエーテルスルホン、ポリエーテルケトン、ポリエーテルイミド、ポリオキシエチレン、ノルボルネン樹脂、ＡＳ樹脂（ＳＡＮ）、塩化ビニリデン樹脂（ＰＶＤＣ）、エポキシ樹脂等；が挙げられる。
これらの中でもポリエチレンテレフタレート（ＰＥＴ）、ポリカーボネート（ＰＣ）、シクロオレフィンポリマー（ＣＯＰ）、ポリイミド（ＰＩ）が好ましい。
フィルム基材の厚みは、通常１０〜２００μｍ程度である。
【００８３】
無機バリア層２７は、金属化合物からなる薄膜の層である。無機バリア層の形成方法として、例えば蒸着法、スパッタリング法、イオンプレーティング法等の物理的気相成長法（ＰＶＤ）、種々の化学的気相成長法（ＣＶＤ）、めっきやゾルゲル法等の液相成長法がある。特に、ＣＶＤ法、スパッタリング法は、緻密でバリア性能に優れた無機バリア層を形成できる点で好ましい。
無機バリア層の組成は、珪素および／またはアルミニウムを含む酸化物、窒化物、炭化物、またはこれらの混合物が好ましく、珪素を含む酸化物、窒化物、炭化物、またはこれらの混合物がより好ましい。さらに他の金属酸化物、金属窒化物、または金属炭化物を併用することが可能である。無機バリア層は上述した材料からなる単層構造、または同一組成または異種組成の複数層からなる多層構造であってもよい。
【００８４】
無機バリア層の厚みは、特に限定されないが、１層につき１５〜１００ｎｍが好ましく、２０〜５０ｎｍがより好ましい。厚みが１５〜１００ｎｍの範囲内になると層形成でピンホールが生じ難く、クラックも生じ難い。
【００８５】
有機層２８は、光硬化性組成物から形成した硬化被膜である。有機層の厚みは、通常１〜３０μｍが好ましく、４〜１０μｍがより好ましい。有機層の厚みが３μｍ以上になると、無機バリア層への保護機能が向上し屈曲性が向上する。また有機層の厚みが３０μｍ以下になると、生産性の向上やコストダウンの他に透明性が向上する。また前記有機層上に、他の樹脂（Ａ）を用いた樹脂組成物から形成される第二の保護膜を備えることも好ましい。これにより屈曲性や水蒸気バリア性がより向上する。
【００８６】
無機バリア層上に有機層を形成する方法は、上記透明電極層の形成と同様に公知の印刷ないし塗工法を使用できる。
【実施例】
【００８７】
以下、実施例、比較例を挙げて本発明を詳細に説明するが、本発明は以下の例に限定されるものではない。なお、特に断りのない限り、「部」は「質量部」、「％」は「質量％」を意味する。表中の配合量は、質量部である。なお、本明細書で実施例６および１３は、参考例である。
【００８８】
＜実施例１＞
Ｎ−ビニル−ε−カプロラクタム（Ｖ−ｃａｐ／ＲＣ、アミドモノマー、ＡＳＨＬＡＮＤ社製）９０部、トリメチロールプロパントリアクリレート（ＴＭＰＴＡ、多官能（メタ）アクリレート化合物、日本化薬社製）１０部、ルシリンＴＰＯ（光重合開始剤、ＢＡＳＦジャパン社製）５部を混合して光硬化性組成物を得た。
【００８９】
＜実施例２＞
Ｎ−ビニル−ε−カプロラクタム  ５０部、フェノキシエチルアクリレート（Ｍ１４０、ＭＩＷＯＮ社製）４０部、トリメチロールプロパントリアクリレート  １０部、ルシリンＴＰＯ  ５部を混合して光硬化性組成物を得た。
【００９０】
＜実施例３＞
Ｎ−ビニル−ε−カプロラクタム  ３０部、フェノキシエチルアクリレート  ５０部、ジプロピレングリコールジアクリレートＭ２２２、ＭＩＷＯＮ社製）２０部、ルシリンＴＰＯ  ５部を混合して光硬化性組成物を得た。
【００９１】
＜実施例４＞
Ｎ−ビニル−ε−カプロラクタム  １０部、フェノキシエチルアクリレート  ８５部、トリメチロールプロパントリアクリレート  ５部、ルシリンＴＰＯ  ５部を混合して光硬化性組成物を得た。
【００９２】
＜実施例５＞
Ｎ−ビニルピロリドン（Ｖ−Ｐｙｒｏｌ／ＲＣ、アミドモノマー、ＡＳＨＬＡＮＤ社製）  ８０部、ジプロピレングリコールジアクリレート  ２０部、ルシリンＴＰＯ  ５部を混合して光硬化性組成物を得た。
【００９３】
＜実施例６＞
ヒドロキシエチルアクリルアミド（ＨＥＡＡ、アミドモノマー、ＫＪケミカルズ社製）８０部、ジプロピレングリコールジアクリレート  ２０部、ルシリンＴＰＯ  ５部を混合して光硬化性組成物を得た。
【００９４】
＜実施例７＞
アクリロイルモルフォリン（ＡＣＭＯ、アミドモノマー、ＫＪケミカルズ社製）８０部、ジプロピレングリコールジアクリレート  ２０部、ルシリンＴＰＯ  ５部を混合して光硬化性組成物を得た。
【００９５】
＜比較例１＞
フェノキシエチルアクリレート  ９０部、ジプロピレングリコールジアクリレート  １０部、ルシリンＴＰＯ  ５部を混合して光硬化性組成物を得た。
【００９６】
＜比較例２＞
フェノキシエチルアクリレート  ４０部、ラウリルアクリレート（Ｌ−Ａ、共栄社化学社製）５０部、ジプロピレングリコールジアクリレート  １０部、ルシリンＴＰＯ  ５部を混合して光硬化性組成物を得た。
【００９７】
＜比較例３＞
フェノキシエチルアクリレート  ８５部、ラウリルアクリレート  １０部、トリメチロールプロパントリアクリレート  ５部、ルシリンＴＰＯ  ５部を混合して光硬化性組成物を得た。
【００９８】
＜比較例４＞
ジプロピレングリコールジアクリレート  １００部、ルシリンＴＰＯ  ５部を混合して光硬化性化合物組成物を得た。
【００９９】
＜比較例５＞
トリメチロールプロパントリアクリレート  １００部、ルシリンＴＰＯ  ５部を混合して光硬化性組成物を得た。
【０１００】
＜ガラス密着性試験用サンプルの作成＞
厚さ１００ｎｍの窒化珪素膜が形成されたガラス板に、実施例、比較例で作成した重合
性化合物組成物をスピンコーターで膜厚が７μｍとなるように塗工する。塗工したガラス板を、酸素濃度１ｐｐｍ以下のアルゴンが満たされたグローブボックス内にアルゴン置換後に移し、波長３８５ｎｍのＬＥＤを光源とするＵＶ照射機を用い、積算光量４００ｍＪ（ＵＶ−Ａの範囲で測定）照射することで、窒化珪素膜上に有機層の硬化膜が形成されたガラス板を得た。
【０１０１】
＜密着性の評価＞
得られた試験用塗工ガラス板を用いて、テープ密着試験を実施した。テープ密着試験は
ＪＩＳＫ５６００に準拠して実施した。
保護膜に基材に達する深さで幅１ｍｍ間隔に１０マス×１０マスの計１００マス目を形
成するようにカッターナイフを入れ、セロハンテープ（２５ｍｍ幅、ニチバン社製）を印刷面に貼り付けた後、セロハンテープを手で急速に剥離して、残ったマス目の数で密着性を評価した。
【０１０２】
＜塗膜硬度の評価＞
得られた試験用塗工ガラス板を用いて、塗膜の硬度を鉛筆硬度試験で評価した。異なる硬度の鉛筆を用い、ＪＩＳＫ５４００で示される試験法に基づき硬度試験を行った。クレメンス型引っ掻き硬度試験機（テスター産業株式会社製）を用い、７５０ｇ荷重をかけ５本引っかいて、４本以上傷がつかなかった最も硬い硬度を記した。
【０１０３】
組成、および評価結果を表１に示す。
【０１０４】
【表１】
2018129295.tif 000003
【０１０５】
表１の実施例は密着に優れ、塗膜硬度もＨＢ以上と高く、硬度と密着を両立している。
比較例は総じて密着が悪く、塗膜硬度が低い柔軟な塗膜ですら基材との密着性が低かった。
【０１０６】
＜水蒸気バリア試験用サンプルの作成＞
スパッタリング装置を用いて、ポリエチレンテレフタレートフィルムに膜厚１００ｎｍ
の窒化珪素層を形成した。その上に硬化膜厚が６μｍとなるように実施例で作成した重合性化合物組成物をワイヤーバーを使って塗工した。塗工後フィルムを酸素濃度が２．５ｐｐｍ以下に保たれたグローブボックスに移して、中心波長３６５ｎｍのＬＥＤ光源で紫外線を積算光量１０００ｍＪ照射して硬化膜を得た。さらにその無機層−有機層積層体上にスパッタリング装置を用いて、膜厚１００ｎｍの窒化珪素層を積層して、無機層−有機層−無機層の３層積層体を作成した。
【０１０７】
＜水蒸気バリア性の評価＞
水蒸気透過率を、水蒸気透過率測定装置（ＭＯＣＯＮ社製ＰＥＲＭＡＴＲＡＮ）を用いて測定した。条件は４０℃、１００％Ｒ．Ｈ．１６８時間試験を行った。検出限界は０．０１ｇ／ｍ２／ｄａｙである。結果を表２に示す。なお比較例で示した重合性化合物組成物は無機層に密着しないためバリアシートが作成出来ないため測定していない。
【０１０８】
【表２】
2018129295.tif 000004
【０１０９】
＜評価結果＞
表１の硬化塗膜のガラス密着試験では、実施例で示した組成物の光硬化塗膜はガラスに
対する密着が良く、剥離試験で全く剥がれなかった。
しかし比較例で示したサンプルについては、密着しなかった。
表２の結果から、実施例１〜７は水蒸気バリア性が優れており有機ELデバイス用バリア
層として実用的である。
【０１１０】
＜実施例８＞
Ｎ−ビニル−ε−カプロラクタム  ８５部、トリメチロールプロパントリアクリレート
１５部、ルシリンＴＰＯ  ５部、ポリフローＮｏ.７５（表面調整剤、共栄社化学社製
）０．５部、ポリストップ７３００Ｐ（重合禁止剤、伯東社製）０．０５部を混合して光硬化性組成物を得た。
【０１１１】
＜実施例９＞
Ｎ−ビニル−ε−カプロラクタム  ４５部、フェノキシエチルアクリレート  ４５部、トリメチロールプロパントリアクリレート  １０部、ルシリンＴＰＯ  ５部、ポリフローＮｏ.７５  ０．５部、ポリストップ７３００Ｐ  ０．０５部を混合して光硬化性組成物
を得た。
【０１１２】
＜実施例１０＞
Ｎ−ビニル−ε−カプロラクタム  ２５部、フェノキシエチルアクリレート  ５５部、ジプロピレングリコールジアクリレート  ２０部、ルシリンＴＰＯ  ５部、ポリフローＮｏ.７５  ０．５部、ポリストップ７３００Ｐ  ０．０５部を混合して光硬化性組成物を
得た。
【０１１３】
＜実施例１１＞
Ｎ−ビニル−ε−カプロラクタム  １５部、フェノキシエチルアクリレート  ８０部、
トリメチロールプロパントリアクリレート  ５部、ルシリンＴＰＯ  ５部、ポリフローＮｏ.７５  ０．５部、ポリストップ７３００Ｐ  ０．０５部を混合して光硬化性組成物
を得た。
【０１１４】
＜実施例１２＞
Ｎ−ビニルピロリドン  ８３部、ジプロピレングリコールジアクリレート  １７部、ルシリンＴＰＯ  ５部、ポリフローＮｏ.７５  ０．５部、ポリストップ７３００Ｐ  ０．
０５部を混合して光硬化性組成物を得た。
【０１１５】
＜実施例１３＞
ヒドロキシエチルアクリルアミド  ８３部、ジプロピレングリコールジアクリレート  １７部、ルシリンＴＰＯ  ５部、ポリフローＮｏ.７５  ０．５部、ポリストップ７３０
０Ｐ  ０．０５部を混合して光硬化性組成物を得た。
【０１１６】
＜実施例１４＞
アクリロイルモルフォリン  ８３部、ジプロピレングリコールジアクリレート  １７部、ルシリンＴＰＯ  ５部、ポリフローＮｏ.７５  ０．５部、ポリストップ７３００Ｐ  
０．０５部を混合して光硬化性組成物を得た。
【０１１７】
＜実施例１５＞
Ｎ−ビニル−ε−カプロラクタム  ８３部、ジプロピレングリコールジアクリレート  １７部、ルシリンＴＰＯ  ５部、ポリフローＮｏ.７５  ０．５部、ポリストップ７３０
０Ｐ  ０．０５部、ＶＡＲＩＰＬＵＳ  ＳＫ（ケトンアルデヒド樹脂、ＥＶＯＮＩＫ社）１０部を混合して光硬化性組成物を得た。
【０１１８】
＜実施例１６＞
Ｎ−ビニル−ε−カプロラクタム  １７部、アクリロイルモルフォリン  ６６部、ジプロピレングリコールジアクリレート  １７部、ルシリンＴＰＯ  ５部、ポリフローＮｏ.
７５  ０．５部、ポリストップ７３００Ｐ  ０．０５部、ＶＡＲＩＰＬＵＳ  ＳＫ  １０部を混合して光硬化性組成物を得た。
【０１１９】
＜実施例１７＞
アクリロイルモルフォリンＡＣＭＯ  ８３部、ジプロピレングリコールジアクリレートＭ２２２  １７部、ルシリンＴＰＯ  ５部、ポリフローＮｏ.７５  ０．５部、ポリスト
ップ７３００Ｐ  ０．０５部、ＶＡＲＩＰＬＵＳ  ＳＫ  １０部を混合して光硬化性組成物を得た。
【０１２０】
＜実施例１８＞
アクリロイルモルフォリンＡＣＭＯ  ８３部、ジプロピレングリコールジアクリレートＭ２２２  １７部、ルシリンＴＰＯ  ５部、ポリフローＮｏ.７５  ０．５部、ポリスト
ップ７３００Ｐ  ０．０５部、Ｊｏｎｃｒｙｌ６１１（アクリル樹脂、ＢＡＳＦ社）  １０部を混合して光硬化性組成物を得た。
【０１２１】
＜実施例１９＞
アクリロイルモルフォリンＡＣＭＯ  ８３部、ジプロピレングリコールジアクリレートＭ２２２  １７部、ルシリンＴＰＯ  ５部、ポリフローＮｏ.７５  ０．５部、ポリスト
ップ７３００Ｐ  ０．０５部、ＣＡＢ−５５１−０．０１（セルロースアセテートブチレ
ート樹脂、Ｅａｓｔｍａｎ  Ｃｈｅｍｉｃａｌ社）  １０部を混合して光硬化性組成物を得た。
【０１２２】
＜ＩＴＯ積層フィルム上の密着性試験用サンプルの作成＞
得られた光硬化性組成物をＩＴＯ積層フィルム上に、バーコーターＮｏ．５で膜厚が７
μｍとなるように塗工した。次いで、アルゴンで置換したグローブボックス内に塗工物を移し、波長３８５ｎｍのＬＥＤを光源とするＵＶ照射機で積算光量５００ｍＪ／ｃｍ2（
ＵＶ−Ａの範囲で測定）照射し、有機層を有する試料Ａを得た。
・ＩＴＯ積層フィルム：市販品（ＩＴＯ層の表面抵抗値：１５０Ω／□、基材：ＰＥＴ、厚さ：１００μｍ）
【０１２３】
＜窒化珪素積層フィルム上の密着性試験用サンプルの作成＞
スパッタリング装置を用いて、厚さ１００μｍのポリエチレンナフタレート（ＰＥＮ）に厚さ１００ｎｍの窒化珪素層を形成した。その上に実施例、比較例で作成した光硬化性組成物をバーコーターＮｏ．５で膜厚が７μｍとなるように塗工した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範囲で測定）照射し、有機層を有す
る試料Ｂを得た。
【０１２４】
＜酸化珪素積層フィルム上の密着性試験用サンプルの作成＞
スパッタリング装置を用いて、厚さ１００μｍのポリエチレンナフタレート（ＰＥＮ）に厚さ１００ｎｍの酸化珪素層を形成した。その上に実施例、比較例で作成した光硬化性組成物をバーコーターＮｏ．５で膜厚が７μｍとなるように塗工した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範囲で測定）照射し、有機層を有す
る試料Ｃを得た。
【０１２５】
＜酸化アルミニウム積層フィルム上の密着性試験用サンプルの作成＞
スパッタリング装置を用いて、厚さ１００μｍのポリエチレンナフタレート（ＰＥＮ）に厚さ１００ｎｍの酸化アルミニウム層を形成した。その上に実施例、比較例で作成した光硬化性組成物をバーコーターＮｏ．５で膜厚が７μｍとなるように塗工した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範囲で測定）照射し、有機
層を有する試料Ｄを得た。
【０１２６】
＜密着性の評価＞
得られた試料Ａ〜Ｄを用いて、テープ密着試験を実施した。テープ密着試験はＪＩＳＫ
５６００に準拠して実施した。有機層上からに基材に達する深さまでカッターナイフを入れ幅１ｍｍ間隔に碁盤目状に１０マス×１０マスの計１００マス目を形成するように切れ込みを入れた。次いで切れ込みの上に市販セロハンテープ（２５ｍｍ幅）を貼り付け、直後に市販セロハンテープを手で急速に剥離して、残ったマス目の数で密着性を評価した。密着性の評価は、１００／１００の場合、形成した全てのマスが剥離しなかったことを意味し、０／１００は、全てのマスが剥離したことを意味する。
【０１２７】
＜塗膜硬度試験用サンプルの作成＞
得られた光硬化性組成物をガラス上に、バーコーターＮｏ．５で膜厚が７μｍとなるよ
うに塗工した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範
囲で測定）照射し、有機層を有する試料Ｅを得た。
【０１２８】
＜塗膜硬度の評価＞
塗膜硬度をＪＩＳＫ５４００で示される試験法に基づき鉛筆硬度試験で評価した。得ら
れた試料Ｅの有機層上からクレメンス型引っ掻き硬度試験機（テスター産業株式会社製）を用い、７５０ｇ荷重をかけ５本引っかいて、４本以上傷がつかなかった最も硬い鉛筆の硬度を記載した。
【０１２９】
＜速硬化性試験用サンプル作成＞
得られた光硬化性組成物をガラス上に、バーコーターＮｏ．５で膜厚が７μｍとなるよ
うに塗工した。次いで、アルゴンで置換したグローブボックス内に塗工物を移し、波長３８５ｎｍのＬＥＤを光源とするＵＶ照射機で積算光量２００ｍＪ／ｃｍ2（ＵＶ−Ａの範
囲で測定）照射し、有機層を有する試料Ｆを得た。
【０１３０】
＜速硬化性の評価＞
得られた試料Ｆを用いて、速硬評価を実施した。評価は、ＵＶ照射後３０秒から１分の
間に有機層表面を指先で触れて指先にべたつきを感じるか否かで評価した。なお、評価基準は下記の通りである。
〇：べたつきが無く、タックを感じなかった。良好
△：わずかなべたつきを感じた。実用域
×：べたつきが有り、タックを感じた。実用不可
【０１３１】
＜ＩＴＯ積層フィルム上の抵抗値変化率試験用サンプルの作成＞
図３の（ａ）平面図、（ｂ）側面図を基に試料の作製方法を説明する。ＩＴＯ積層フィ
ルム３１上に市販導電性ペースト（ＲＥＸＡＬＰＨＡ  ＲＡ  ＦＳ０７４、トーヨーケム社製）を乾燥後の膜厚が５μｍになるようにスクリーン印刷を行い１３５℃オーブンにて３０分乾燥を行い硬化させることで、縦１５ｍｍ×横３．５ｍｍの抵抗値測定用端子部３２−１および抵抗値測定用端子部３２−２を７５ｍｍの間隔を空けて作製した。次いでＩＴＯ積層フィルム３１上に実施例、比較例で作成した光硬化性組成物をバーコーターＮｏ．５で膜厚が７μｍになるように塗工し、縦１５ｍｍ×横７０ｍｍの保護膜３３を形成した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範囲で測定）
照射し、保護膜（有機層）を有する試料Ｇを得た。
なお、ＩＴＯ層に直接、テスターで端子を当てて抵抗値を測定すると、ＩＴＯ層が傷つ
き正確な抵抗値が測定できないため、銀ペーストでＩＴＯ上に抵抗値測定用端子部を形成して、そこにテスターを当てて抵抗値を測定した。
【０１３２】
＜抵抗値変化率の評価＞
得られた試料Ｇを用いて屈曲性試験を実施した。屈曲性試験は、耐屈曲性試験器（ユアサシステム機器社製面状体無負荷Ｕ字伸縮試験機）を用いて行い、保護膜が下側になるように装置にセットし、直径３ｍｍ幅、３０回／分の速度で５万回折り曲げを実施した。表面抵抗値の変化率は下記の計算式から算出した。なお、評価基準は下記の通りである。
変化率＝（５万回折り曲げ後の表面抵抗値試験前の表面抵抗値）／（試験前の表面抵抗値×１００）
・評価基準
◎：表面抵抗値の変化率が１０％未満（優れている）
○：表面抵抗値の変化率が１０％以上２０％未満（良好）
△：表面抵抗値の変化率が２０％以上３０％未満（実用上問題ない）
×：表面抵抗値の変化率が３０％以上（実用不可）
【０１３３】
＜ガラス上の黄色度試験用サンプルの作成＞
ガラス上に、実施例、比較例で作成した光硬化性組成物をバーコーターＮｏ．５で膜厚
が７μｍとなるように塗工した。次いで、アルゴンで置換したグローブボックス内に塗工物を移し、波長３８５ｎｍのＬＥＤを光源とするＵＶ照射機で積算光量５００ｍＪ／ｃｍ2（ＵＶ−Ａの範囲で測定）照射し、有機層を有する試料Ｈを得た。
＜黄色度の評価＞
得られた試料Ｈを用いて硬化被膜の黄色度を測定した。黄色度の評価は、色彩色差計ＣＲ−３００（コニカミノルタ製）を用いて行い、白色校正板上に試料Ｆを載せた状態でΔｂ値を測定した。なお、評価基準は下記の通りである。
○：０．５０未満（良好）
△：０．５０以上〜１．００未満（実用上問題ない）
×：１．００以上（実用不可）
【０１３４】
組成、および評価結果を表３および表４に示す。
【０１３５】
【表３】
2018129295.tif 000005
【０１３６】
【表４】
2018129295.tif 000006
【０１３７】
＜評価結果＞
表３および表４の結果より実施例は密着、速硬化性に優れ、塗膜硬度もＨＢ以上と高く
、硬度と密着を両立している。更に屈曲前後でも抵抗値上昇を抑制しており、ＩＴＯの保護層としても適用可能である。
【０１３８】
＜水蒸気バリア試験用サンプルの作成＞
窒化珪素積層フィルム上に実施例で作成した光硬化性組成物をバーコーターＮｏ．５で
膜厚が６μｍとなるように塗工した。塗工フィルムを酸素濃度が１ｐｐｍ以下に保たれたアルゴンが満たされたグローブボックスに移して、中心波長３８５ｎｍのＬＥＤ光源で紫
外線を積算光量５００ｍＪ／ｃｍ2照射して硬化被膜を得た。得られた硬化被膜の屈曲性
試験は、抵抗値試験と同様の方法で実施した。
【０１３９】
＜水蒸気バリア性の評価＞
水蒸気透過率を、水蒸気透過率測定装置（ＭＯＣＯＮ社製ＰＥＲＭＡＴＲＡＮ）を用い
て測定した。条件は４０℃、１００％Ｒ．Ｈ．１６８時間試験を行った。検出限界は０．０１ｇ／ｍ2／日である。結果を表４に示す。なお比較例で示した光硬化性組成物は、無
機層への密着性不良でバリアシートの作成が困難なため、測定は行っていない。
【０１４０】
【表５】
2018129295.tif 000007
【０１４１】
＜評価結果＞
表４の結果より実施例８〜１９は屈曲前後でも水蒸気バリア性を維持できているため、
例えば、電子素子の有機層形成用途として好適である。
【符号の説明】
【０１４２】
１１      基材
１２      ＩＭ層
１３      透明電極層
１４      保護層
１５      粘着層
２１      基板
２２      電極（陽極）
２２’    電極（陰極）
２３      有機化合物層
２４      有機ＥＬ素子
２５      接着層
２６      フィルム基材
２７      無機バリア層
２８      有機層
２９      バリアフィルム
３１      ＩＴＯ積層フィルム
３２−１  抵抗値測定用端子部
３２−２  抵抗値測定用端子部
３３      保護膜
【図１】
2018129295.tif 000008
【図２】
2018129295.tif 000009
【図３】
2018129295.tif 000010